(57)【特許請求の範囲】
【請求項１】
円筒状に形成されたハウジングと、
前記ハウジングの内周面に配設されて内径方向へ向けて光を照射する光源と、
前記光源から照射された光を反射させる複数の反射面が前記ハウジング内において当該ハウジングの筒心を中心とする周方向に並設されると共に当該ハウジングの筒心回りに回転可能に構成される回転リフレクタと、
前記ハウジングの内周面であって前記光源と対向する位置に配設されて、当該光源から照射された光を反射させる反射面を有する固定リフレクタとを具備し、
前記回転リフレクタには、前記複数の反射面が相互に離間して隙間が形成され、
前記光源から照射された光は、前記回転リフレクタを照射すると共に当該回転リフレクタに形成された前記隙間を通じて前記固定リフレクタを照射する、
遊技機用発光装置。
【発明の詳細な説明】
【技術分野】
【０００１】
本発明は、遊技機に配置されて発光演出を行う遊技機用発光装置の技術に関する。
【背景技術】
【０００２】
従来、遊技機に配置されて発光演出を行う遊技機用発光装置の技術が公知となっている。例えば、特許文献１に記載の如くである。
【０００３】
特許文献１に記載の遊技機用発光装置は、前方へ向けて開口された円筒状に形成されるハウジング（カバー体）と、前記ハウジングの後部に配設されて前方へ向けて光を照射する光源と、前記光源の前方に配設されて前記ハウジングの筒心回りに旋回する透光性部材からなる突出体と、を具備している。
【０００４】
このような構成によって、特許文献１に記載の遊技機用発光装置は、光源から照射された光を、旋回している突出体に通過させて発光演出を行うことができる。
【０００５】
しかしながら、特許文献１に記載の遊技機用発光装置の技術にも拘らず、遊技者の興趣を高めるために、従来にない見え方の発光演出を行うことができる遊技機用発光装置が望まれている。
また、特許文献１に記載の遊技機用発光装置は、前記突出体が透光性部材からなるものであるため、光を反射させて煌びやかに見せるには不十分であるという問題点がある。
また、特許文献１に記載の遊技機用発光装置は、光源がハウジングの後部に配置されているので、前記遊技機用発光装置の前後方向の長さが長くなるという問題点がある。
【先行技術文献】
【特許文献】
【０００６】
【特許文献１】特開２０１１−９７９６７号公報
【発明の概要】
【発明が解決しようとする課題】
【０００７】
本発明は上記の如き状況に鑑みてなされたものであり、その解決しようとする課題は、従来にない見え方の発光演出を行うことができる遊技機用発光装置を提供するものである。
また、前後方向の長さを短くすることができ、且つ光を反射させて煌びやかに見せることができる遊技機用発光装置を提供するものである。
【課題を解決するための手段】
【０００８】
本発明の解決しようとする課題は以上の如くであり、次にこの課題を解決するための手段を説明する。
【０００９】
即ち、請求項１において、本発明に係る遊技機用発光装置は、円筒状に形成されたハウジングと、前記ハウジングの内周面に配設されて内径方向へ向けて光を照射する光源と、前記光源から照射された光を反射させる複数の反射面が前記ハウジング内において当該ハウジングの筒心を中心とする周方向に並設されると共に当該ハウジングの筒心回りに回転可能に構成される回転リフレクタと、前記ハウジングの内周面であって前記光源と対向する位置に配設されて、当該光源から照射された光を反射させる反射面を有する固定リフレクタとを具備し、前記回転リフレクタには、前記複数の反射面が相互に離間して隙間が形成され、前記光源から照射された光は、前記回転リフレクタを照射すると共に当該回転リフレクタに形成された前記隙間を通じて前記固定リフレクタを照射するものである。
【発明の効果】
【００１１】
本発明の効果として、以下に示すような効果を奏する。
【００１２】
本発明に係る遊技機用発光装置においては、従来にない見え方の発光演出を行うことができる。
また、本発明に係る遊技機用発光装置においては、前後方向の長さを短くすることができ、且つ光を反射させて煌びやかに見せることができる。
【図面の簡単な説明】
【００１３】
【図１】本発明の第一実施形態に係る発光装置を備えた遊技機の正面図。
【図２】同じく、遊技機の窓枠が開放された状態を示した前方斜視図。
【図３】同じく、遊技板を示した正面図。
【図４】（ａ）ハウジング及び発光部を示した前方斜視図。（ｂ）ハウジング及び発光部を示した正面図。
【図５】（ａ）回転リフレクタを示した正面図。（ｂ）回転リフレクタを示した側面図。
【図６】（ａ）第一実施形態に係る発光装置を示した前方斜視図。（ｂ）同じく、発光装置を示した正面図。
【図７】（ａ）同じく、発光装置を示した側面図。（ｂ）同じく、発光装置を示した側面断面図。
【図８】（ａ）同じく、発光装置において発光部からの光の道筋を示した正面図。（ｂ）同じく、図８（ａ）に示したものから回転リフレクタが回転した状態の発光装置において発光部からの光の道筋を示した正面図。
【図９】（ａ）同じく、図８（ｂ）に示したものから回転リフレクタが回転した状態の発光装置において発光部からの光の道筋を示した正面図。（ｂ）同じく、図９（ａ）に示したものから回転リフレクタが回転した状態の発光装置において発光部からの光の道筋を示した正面図。
【図１０】同じく、図９（ｂ）に示したものから回転リフレクタが回転した状態の発光装置において発光部からの光の道筋を示した正面図。
【図１１】（ａ）ハウジング、発光部、及び固定リフレクタを示した前方斜視図。（ｂ）ハウジング、発光部、及び固定リフレクタを示した正面図。
【図１２】（ａ）第二実施形態に係る発光装置を示した前方斜視図。（ｂ）同じく、発光装置を示した正面図。
【図１３】同じく、発光装置を示した側面断面図。
【図１４】（ａ）同じく、発光装置においての発光部から固定リフレクタへの、回転リフレクタがない場合の光の道筋を示した前方斜視図。（ｂ）同じく、発光部から固定リフレクタへの、回転リフレクタがない場合の光の道筋を示した正面図。
【図１５】（ａ）同じく、発光装置において発光部からの光の道筋を示した正面図。（ｂ）同じく、図１５（ａ）に示したものから回転リフレクタが回転した状態の発光装置において発光部からの光の道筋を示した正面図。
【図１６】（ａ）同じく、図１５（ｂ）に示したものから回転リフレクタが回転した状態の発光装置において発光部からの光の道筋を示した正面図。（ｂ）同じく、図１６（ａ）に示したものから回転リフレクタが回転した状態の発光装置において発光部からの光の道筋を示した正面図。
【図１７】同じく、図１６（ｂ）に示したものから回転リフレクタが回転した状態の発光装置において発光部からの光の道筋を示した正面図。
【発明を実施するための形態】
【００１４】
まず、本発明に係る遊技機用発光装置の第一実施形態である発光装置１００を備えた遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１５】
遊技機１は、図１から図３が示すように、主として、外枠２と、中枠３と、窓枠４と、により構成される枠体に、各種の遊技部品が取り付けられて形成される。
【００１６】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１７】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１８】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１９】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００２０】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２１】
次に、遊技盤６の構成について、図３を用いてさらに詳細に説明する。
【００２２】
遊技盤６は、図３に示すように、遊技板１０と、ガイドレール１１と、センター役物１２と、図柄表示装置１３と、可変入賞装置１４と、大入賞装置１５と、アウト口１６と、発光装置１００等により構成される。
【００２３】
遊技板１０は、四隅が適宜に切り欠けられた略平板状に形成される部材である。遊技板１０には、遊技盤６を構成する各種の遊技部品が取り付けられる。
【００２４】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２５】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２６】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２７】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の左右中央部であってセンター役物１２の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２８】
大入賞装置１５は、所定の大当たり抽選により大当たりが選択されると、大入賞口１５ａを開放して遊技球が入球（入賞）可能に構成される装置である。大入賞装置１５は、遊技領域２５の左右中央部であって可変入賞装置１４の下方に配置される。なお、大入賞装置１５は、開放した大入賞口１５ａに遊技球が入球すると図示せぬ賞球払出装置によって所定数の遊技球（賞球）が払い出されるように構成される。
【００２９】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００３０】
次に、発光装置１００の構成について詳細に説明する。
【００３１】
図３、図６及び図７に示す発光装置１００は、液晶画面２６に表示される図柄遊技等の遊技内容に応じて発光演出を行って、遊技者に視覚的な印象（インパクト）を与えるためのものである。発光装置１００は、遊技領域２５において、液晶画面２６の上方であって、センター役物１２の上部前方に配置される。発光装置１００は、主として、ハウジング１１０と、発光部１２０と、回転リフレクタ１４０と、により構成される。
【００３２】
図４、図６及び図７に示すハウジング１１０は、発光装置１００の外郭を成し、当該発光装置１００を構成する各種の遊技部品が取り付けられるものである。ハウジング１１０は、液晶画面２６の上方であって、センター役物１２の上部前方に配置される。ハウジング１１０は、筒心方向の長さが短い円筒状に形成される。ハウジング１１０は、筒心方向を前後方向へ向けて前側の開口部が遊技者を概ね臨むように形成される。ハウジング１１０の前側の開口部には、透光性を有する薄板状の透明板１１１が被覆される。ハウジング１１０の内周面は、光を反射し難いような明度の低い色彩が施される。また、ハウジング１１０の内周面には、後述する発光部１２０が配設される。
【００３３】
図４、図６及び図７に示す発光部１２０は、光を照射可能に構成されるものである。本実施形態において、発光部１２０は、複数個（３つ）設けられる。３つの発光部１２０は、ハウジング１１０の内周面の前後方向中途部にそれぞれ配置される。また、３つの発光部１２０は、ハウジング１１０の内周面に、正面視で当該ハウジング１１０の周方向に均等な間隔をあけてそれぞれ配置される。換言すれば、３つの発光部１２０は、当該３つの発光部１２０からハウジング１１０の筒心Ｐに垂線（以下では、「発光部垂線１２５」と称する。）をそれぞれ引いた場合に、正面視で隣り合う発光部垂線１２５・１２５間の角度が均等（本実施形態においては、１２０度）となるように配置される。３つの発光部１２０は、基板部１２１と、ＬＥＤ群１２２と、をそれぞれ備える。
【００３４】
図４、図６及び図７に示す基板部１２１は、ＬＥＤ群１２２が実装されるものである。基板部１２１の内側面１２３は、平板状であって、その板面をハウジング１１０の内側へ向けて形成される。ＬＥＤ群１２２は、基板部１２１の内側面１２３に配置される。ＬＥＤ群１２２は、発光色をフルカラー出力可能である３つのフルカラーＬＥＤ１２４により構成される。
【００３５】
３つのフルカラーＬＥＤ１２４は、基板部１２１の内側面１２３に配置される。３つのフルカラーＬＥＤ１２４は、その発光面がハウジング１１０の内側（内径方向）へ向けて形成される。つまり、３つのフルカラーＬＥＤ１２４は、ハウジング１１０の内側（内径方向）へ向けて光を照射可能に形成される。また、３つのフルカラーＬＥＤ１２４は、基板部１２１の内側面１２３に、ハウジング１１０の周方向に相互に適宜な間隔をあけて並設される。そして、３つのフルカラーＬＥＤ１２４の相互の間隔を調整すれば、発光部１２０（より詳細には、３つのフルカラーＬＥＤ１２４）から照射される光量及び光の幅を調整することができる。
【００３６】
図５から図７に示す回転リフレクタ１４０は、回転しながら発光部１２０から照射された光を反射させるものである。回転リフレクタ１４０は、樹脂成型した部材の表面にクロームメッキ処理、又はアルミ蒸着処理が施される。回転リフレクタ１４０は、ハウジング１１０の内部空間に回転可能に軸支される。回転リフレクタ１４０は、主として、回転基部１４１と、羽根部１４２と、により構成される。
【００３７】
回転リフレクタ１４０の回転基部１４１は、正面視で略正方形の平板状に形成される。回転基部１４１は、板面を前後方向へ向けて形成される。回転基部１４１の正面視で略中央には、前後方向に貫通した回転軸孔１４３が形成される。回転軸孔１４３には、後述する回転軸１４５が挿通される。
【００３８】
回転リフレクタ１４０の羽根部１４２は、発光部１２０から照射された光を反射させるものである。羽根部１４２は、球面から概ね楕円状に切り出した形状に形成される。羽根部１４２は、発光部１２０から照射された光を反射させるための回転リフレクタ反射面１４４を備える。
【００３９】
羽根部１４２は、複数個（４つ）設けられる。４つの羽根部１４２は、回転基部１４１に、正面視で回転軸孔１４３を中心とした（ハウジング１１０の筒心Ｐを中心とした）周方向へ等間隔に並設される。そして、４つの羽根部１４２は、回転基部１４１から外周側へ延出して、正面視で全体として略十字形状に形成される。より詳細には、４つの羽根部１４２のうち、相互に対応する２つの羽根部１４２（一対の羽根部１４２・１４２）は、回転軸孔１４３の軸心を中心として（ハウジング１１０の筒心Ｐを中心として）対向するように形成される。そして、一対の羽根部１４２・１４２が２つ設けられ、２つの一対の羽根部１４２・１４２が正面視で直交するように形成される。
【００４０】
４つの羽根部１４２は、前端部が回転基部１４１の四方外周縁部に接続され、後端部側（後側）へ行くに従って徐々に外側へ向けて湾曲するようにそれぞれ形成される。このように、羽根部１４２の前面側は、斜め前方であって外側へ向けた状態の凹面として形成される。そして、羽根部１４２のうち、前記斜め前方であって外側へ向けた状態の凹面（羽根部１４２の前面側）が、発光部１２０から照射された光を反射させるための回転リフレクタ反射面１４４として用いられる。なお、回転リフレクタ反射面１４４は、前記斜め前方であって外側へ向けた状態の凹面の傾斜角度を変更することによって、発光部１２０から照射された光の反射方向を変更することができる。
【００４１】
このように、回転リフレクタ反射面１４４は、前端部から後端部まで前後方向に一定の長さを有するように形成される。そして、回転リフレクタ反射面１４４の前後方向の長さは、ハウジング１１０の前後方向の長さよりも短く、且つ発光部１２０の前後方向の長さよりも長く形成される。
【００４２】
また、４つの羽根部１４２のうち、周方向に隣り合う羽根部１４２・１４２は、相互に離間して形成される。つまり、周方向に隣り合う羽根部１４２・１４２間には、隙間１５０が形成される。
【００４３】
隙間１５０は、複数個（４つ）設けられる。４つの隙間１５０は、回転基部１４１に、正面視で回転軸孔１４３を中心とした（ハウジング１１０の筒心Ｐを中心とした）周方向に並設される。そして、４つの隙間１５０は、正面視で全体として略十字形状に形成される。より詳細には、４つの隙間１５０のうち、相互に対応する２つの隙間１５０（一対の隙間１５０・１５０）は、回転軸孔１４３の軸心を中心として（ハウジング１１０の筒心Ｐを中心として）対向するように形成される。そして、一対の隙間１５０・１５０が２つ設けられ、２つの一対の隙間１５０・１５０が正面視で直交するように形成される。
【００４４】
図７に示すように、回転リフレクタ１４０は、ハウジング１１０の内部空間に、モータ１４６と、回転軸１４５と、によって回転可能に支持される。
【００４５】
図７に示すモータ１４６は、回転リフレクタ１４０を回転（駆動）させるための駆動源となるものである。モータ１４６は、回転リフレクタ１４０の後方に配置され、遊技盤６に適宜に固定される。モータ１４６の出力軸１４８は前方へ向けて形成される。出力軸１４８の前端部には、出力ギア１４９が固定される。
【００４６】
図７に示す回転軸１４５は、回転リフレクタ１４０を支持するためのものである。回転軸１４５は、長手方向を前後方向へ向けた状態で、ハウジング１１０の筒心Ｐ上に重複するように配置される。回転軸１４５は、回転リフレクタ１４０の回転基部１４１の回転軸孔１４３に挿通される。回転軸１４５の前端部は、回転基部１４１に相対回転不能に固定される。また、回転軸１４５の前端部は、回転基部１４１の前方で透明板１１１に軸心回りに回転自在に支持される。また、回転軸１４５の後端部には、入力ギア１４７が固定される。入力ギア１４７は、モータ１４６の出力ギア１４９に噛合される（不図示）。
【００４７】
そして、モータ１４６が駆動されると、当該モータ１４６からの駆動力が、出力軸１４８を介して出力ギア１４９に伝達される。そして、出力ギア１４９に伝達された駆動力は、入力ギア１４７を介して回転軸１４５に伝達される。このように、回転軸１４５は、モータ１４６からの駆動力によって、軸心回り（正面視時計回り又は正面視反時計回り）に回転可能に構成される。すなわち、回転リフレクタ１４０は、モータ１４６からの駆動力により回転する回転軸１４５を介して、当該回転軸１４５の軸心回りに（ハウジング１１０の筒心回りに）回転可能に構成される。
【００４８】
次に、図８から図１０を用いて、発光装置１００による発光演出について詳細に説明する。
【００４９】
図８から図１０に図示した二点鎖線の矢印は、発光部１２０から照射された光の道筋を示している。なお、図８から図１０において、回転リフレクタ１４０により反射された後の光の道筋の図示を省略している。
また、説明の便宜上、図８から図１０においては、３つの発光部を発光部１２０ａ・１２０ｂ・１２０ｃとそれぞれ称する。また、４つの羽根部を羽根部１４２ａ・１４２ｂ・１４２ｃ・１４２ｄと、４つの回転リフレクタ反射面を回転リフレクタ反射面１４４ａ・１４４ｂ・１４４ｃ・１４４ｄとそれぞれ称する。また、隣り合う回転リフレクタ反射面の隙間を隙間１５０ａ・１５０ｂ・１５０ｃ・１５０ｄとそれぞれ称する。
【００５０】
回転リフレクタ１４０が、図８（ａ）に示す位置において、発光部１２０ａから照射された光の全部は、羽根部１４２ａの回転リフレクタ反射面１４４ａに照射される。そして、回転リフレクタ反射面１４４ａに照射された光は、当該回転リフレクタ反射面１４４ａにより反射されて前方へ向けて照射される。
また、発光部１２０ｂから照射された光の一部は、羽根部１４２ｂの回転リフレクタ反射面１４４ｂに照射される。そして、回転リフレクタ反射面１４４ｂに照射された光は、当該回転リフレクタ反射面１４４ｂにより反射されて前方へ向けて照射される。一方、発光部１２０ｂから照射された光の他部は、隙間１５０ｂを通って、羽根部１４２ｄの裏面側に照射される。羽根部１４２ｄの裏面側に照射された光は、前方へ向けて照射（反射）されない。
また、発光部１２０ｃから照射された光の一部は、羽根部１４２ｄの回転リフレクタ反射面１４４ｄに照射される。そして、回転リフレクタ反射面１４４ｄに照射された光は、当該回転リフレクタ反射面１４４ｄにより反射されて前方へ向けて照射される。一方、発光部１２０ｃから照射された光の他部は、隙間１５０ｃを通って、羽根部１４２ｂの裏面側に照射される。羽根部１４２ｂの裏面側に照射された光は、前方へ向けて照射（反射）されない。
【００５１】
回転リフレクタ１４０が、図８（ａ）に示す位置から正面視時計回りに回転した図８（ｂ）に示す位置において、発光部１２０ａから照射された光の一部は、羽根部１４２ａの回転リフレクタ反射面１４４ａに照射される。そして、回転リフレクタ反射面１４４ａに照射された光は、当該回転リフレクタ反射面１４４ａにより反射されて前方へ向けて照射される。一方、発光部１２０ａから照射された光の他部は、隙間１５０ｄを通って、羽根部１４２ｃの裏面側に照射される。羽根部１４２ｃの裏面側に照射された光は、前方へ向けて照射（反射）されない。
また、発光部１２０ｂから照射された光の全部は、羽根部１４２ｂの回転リフレクタ反射面１４４ｂに照射される。そして、回転リフレクタ反射面１４４ｂに照射された光は、当該回転リフレクタ反射面１４４ｂにより反射されて前方へ向けて照射される。
また、発光部１２０ｃから照射された光の全部は、隙間１５０ｃ及び隙間１５０ａを通って、ハウジング１１０の内周面に照射される。そして、ハウジング１１０の内周面に照射された光は、当該内周面により反射されない。
【００５２】
回転リフレクタ１４０が、図８（ｂ）に示す位置から正面視で時計回りに回転した図９（ａ）に示す位置において、発光部１２０ａから照射された光の全部は、隙間１５０ｄ及び隙間１５０ｂを通って、ハウジング１１０の内周面に照射される。そして、ハウジング１１０の内周面に照射された光は、当該内周面により反射されない。
また、発光部１２０ｂから照射された光の全部は、羽根部１４２ｂの回転リフレクタ反射面１４４ｂに照射される。そして、回転リフレクタ反射面１４４ｂに照射された光は、当該回転リフレクタ反射面１４４ｂにより反射されて前方へ向けて照射される。
また、発光部１２０ｃから照射された光の全部は、羽根部１４２ｃの回転リフレクタ反射面１４４ｃに照射される。そして、回転リフレクタ反射面１４４ｃに照射された光は、当該回転リフレクタ反射面１４４ｃにより反射されて前方へ向けて照射される。
【００５３】
回転リフレクタ１４０が、図９（ａ）に示す位置から正面視で時計回りに回転した図９（ｂ）に示す位置において、発光部１２０ａから照射された光の一部は、羽根部１４２ｄの回転リフレクタ反射面１４４ｄに照射される。そして、回転リフレクタ反射面１４４ｄに照射された光は、当該回転リフレクタ反射面１４４ｄにより反射されて前方へ向けて照射される。一方、発光部１２０ａから照射された光の他部は、隙間１５０ｄを通って、羽根部１４２ｂの裏面側に照射される。羽根部１４２ｂの裏面側に照射された光は、前方へ向けて照射（反射）されない。
また、発光部１２０ｂから照射された光の全部は、隙間１５０ａ及び隙間１５０ｃを通って、ハウジング１１０の内周面に照射される。そして、ハウジング１１０の内周面に照射された光は、当該内周面により反射されない。
また、発光部１２０ｃから照射された光の全部は、羽根部１４２ｃの回転リフレクタ反射面１４４ｃに照射される。そして、回転リフレクタ反射面１４４ｃに照射された光は、当該回転リフレクタ反射面１４４ｃにより反射されて前方へ向けて照射される。
【００５４】
回転リフレクタ１４０が、図９（ｂ）に示す位置から正面視で時計回りに回転した図１０に示す位置において、発光部１２０ａから照射された光の全部は、羽根部１４２ｄの回転リフレクタ反射面１４４ｄに照射される。そして、回転リフレクタ反射面１４４ｄに照射された光は、当該回転リフレクタ反射面１４４ｄにより反射されて前方へ向けて照射される。
また、発光部１２０ｂから照射された光の一部は、羽根部１４２ａの回転リフレクタ反射面１４４ａに照射される。そして、回転リフレクタ反射面１４４ａに照射された光は、当該回転リフレクタ反射面１４４ａにより反射されて前方へ向けて照射される。一方、発光部１２０ｂから照射された光の他部は、隙間１５０ａを通って、羽根部１４２ｃの裏面側に照射される。羽根部１４２ｃの裏面側に照射された光は、前方へ向けて照射（反射）されない。
また、発光部１２０ｃから照射された光の一部は、羽根部１４２ｃの回転リフレクタ反射面１４４ｃに照射される。そして、回転リフレクタ反射面１４４ｃに照射された光は、当該回転リフレクタ反射面１４４ｃにより反射されて前方へ向けて照射される。一方、発光部１２０ｃから照射された光の他部は、隙間１５０ｂを通って、羽根部１４２ａの裏面側に照射される。羽根部１４２ａの裏面側に照射された光は、前方へ向けて照射（反射）されない。
【００５５】
このように、発光装置１００は、回転リフレクタ１４０が正面視時計回りに４５度回転した状態で、発光部１２０ａ・１２０ｂ・１２０ｃから照射された光の道筋が、当該回転リフレクタ１４０が回転する前の状態と同一となる。
【００５６】
以上のように、発光装置１００による発光演出は、従来にない見え方とすることができる。より詳細には、発光部１２０ａ・１２０ｂ・１２０ｃから照射されて回転リフレクタ反射面１４４ａ・１４４ｂ・１４４ｃ・１４４ｄにより反射された光は、当該回転リフレクタ反射面１４４ａ・１４４ｂ・１４４ｃ・１４４ｄが斜め前方であって外側へ向けた状態の凹面であることから、前方の比較的広範囲に亘って拡散される。また、上述の如く、回転リフレクタ１４０の回転に応じて、発光部１２０ａ・１２０ｂ・１２０ｃから回転リフレクタ反射面１４４ａ・１４４ｂ・１４４ｃ・１４４ｄに照射される光量が連続して変化することとなる。つまり、回転リフレクタ反射面１４４ａ・１４４ｂ・１４４ｃ・１４４ｄにより反射される光量が連続して変化することとなる。このように、発光装置１００の発光演出は、ダイナミックな発光態様を実現することができる。
【００５７】
なお、発光装置１００の発光部１２０は、従来の技術とは異なりハウジング１１０の後部に配置されていない。すなわち、本実施形態において、発光部１２０は、ハウジング１１０の内周面の前後方向中途部（発光装置１００の前後方向中途部）に配置される。これによって、発光装置１００は、従来の技術と比べて前後方向の長さを短くすることができる。このように、発光装置１００は、一般的に小さな配置スペースとなる遊技領域２５に配置し易くする構成される。
【００５８】
また、発光装置１００の回転リフレクタ１４０は、従来の技術とは異なり透光性部材からなるものではない。すなわち、本実施形態において、回転リフレクタ１４０は、発光部１２０から照射された光を反射させる回転リフレクタ反射面１４４を有するものである。これによって、発光装置１００は、光を反射させて煌びやかに見せることができる。
【００５９】
なお、ハウジング１１０は、本発明に係る「ハウジング」の一実施形態であり、上述の如き構成に限定するものではない。
例えば、本発明に係る「ハウジング」は、円筒状ではなく、例えば四角筒状等の多角筒状に形成されてもよい。また、本発明に係る「ハウジング」は、内周面に光を反射し易いような明度の高い色彩が施されてもよい。
【００６０】
また、発光部１２０は、本発明に係る「光源」の一実施形態であり、上述の如き構成に限定するものではない。
例えば、本発明に係る「光源」は、本実施形態では３つ設けられているが、特に個数を限定するものではない。また、本発明に係る「光源」は、フルカラーＬＥＤ１２４ではなく、単色ＬＥＤを用いてもよい。また、本発明に係る「光源」は、３つのフルカラーＬＥＤ１２４をハウジング１１０の周方向に適宜な間隔をあけて並設しているが、ハウジング１１０の筒心方向（前後方向）に適宜な間隔をあけて並設するものであってもよい。
【００６１】
なお、回転リフレクタ１４０は、本発明に係る「回転リフレクタ」の一実施形態であり、上述の如き構成に限定するものではない。
例えば、本発明に係る「回転リフレクタ」は、本実施形態では４つの羽根部１４２を設けているが、特に個数を限定するものではない。また、本発明に係る「回転リフレクタ」は、回転方向が正面視時計回りではなく、正面視反時計回りであってもよい。そして、液晶画面２６に表示される図柄遊技等の遊技内容（例えば、特別な演出）に応じて回転方向を変更するものであってもよい。
【００６２】
次に、本発明に係る遊技機用発光装置の第二実施形態である発光装置２００の構成について詳細に説明する。
なお、発光装置１００と同一の構成の箇所については、図面にて同一の符号を付することにより、その説明を省略する。
【００６３】
発光装置２００は、発光装置１００に固定リフレクタ１３０を具備するものである。
図１１から図１３に示す固定リフレクタ１３０は、発光部１２０から照射された光を反射させるものである。固定リフレクタ１３０は、ハウジング１１０から独立した部材であって当該ハウジング１１０の内周面にネジ等の固定部材を介して固定される。固定リフレクタ１３０は、複数個（３つ）設けられる。３つの固定リフレクタ１３０は、ハウジング１１０の内周面の前後方向中途部にそれぞれ配置される。また、３つの固定リフレクタ１３０は、ハウジング１１０の内周面に、正面視で当該ハウジング１１０の周方向に均等な間隔をあけてそれぞれ配置される。換言すれば、３つの固定リフレクタ１３０は、当該３つの固定リフレクタ１３０からハウジング１１０の筒心Ｐに垂線（以下では、「固定リフレクタ垂線１３５」と称する。）をそれぞれ引いた場合に、正面視で隣り合う固定リフレクタ垂線１３５・１３５間の角度が均等（本実施形態においては、１２０度）となるように配置される。
【００６４】
また、３つの固定リフレクタ１３０は、隣り合う発光部１２０・１２０間の略中央にそれぞれ配置される。換言すれば、３つの固定リフレクタ１３０の固定リフレクタ垂線１３５は、正面視で隣り合う発光部垂線１２５・１２５との間の角度が均等（本実施形態においては、６０度）となるように配置される。これによって、３つの固定リフレクタ垂線１３５の内径方向の延長線上には、それぞれ対応する発光部垂線１２５が配置される。このように、３つの固定リフレクタ１３０は、それぞれ対応する３つの発光部１２０に対して当該ハウジング１１０の筒心Ｐを中心とした対称となる位置（それぞれ対応する３つの発光部１２０と対向する位置）に配置される。
【００６５】
また、固定リフレクタ１３０は、発光部１２０から照射された光を反射させるための固定リフレクタ反射面１３１を備える。固定リフレクタ反射面１３１は、正面視で略半円状に形成され、その表面は平面に形成される。固定リフレクタ反射面１３１におけるハウジング１１０の周方向の長さは、発光部１２０のＬＥＤ群１２２（より詳細には、３つのフルカラーＬＥＤ１２４）におけるハウジング１１０の周方向の長さと同一、又は長くなるように形成される。固定リフレクタ反射面１３１には、樹脂成型した部材の表面にクロームメッキ処理、又はアルミ蒸着処理が施される。
【００６６】
また、固定リフレクタ反射面１３１は、ハウジング１１０の筒心方向（前後方向）に対して傾斜した状態に形成される。より詳細には、固定リフレクタ反射面１３１は、前端部がハウジング１１０の内周面に近接し、後側へ行くに従って当該内周面から離間するように（ハウジング１１０の中央に近接するように）形成される。つまり、固定リフレクタ反射面１３１は、その板面を斜め前方であって、正面視でハウジング１１０の内側へ向けた状態に形成される。
【００６７】
なお、固定リフレクタ１３０の前後方向位置は、側面視で回転リフレクタ１４０の前端部よりも後方であって、後端部よりも前方に形成される。そして、回転リフレクタ１４０の羽根部１４２の後端部外側は、固定リフレクタ１３０の後端部内側と正面視で重複するように形成される。このような構成によって、発光装置２００を内径方向に小さく形成することができる。
【００６８】
次に、図１４を用いて、発光部１２０から固定リフレクタ１３０に照射された光の道筋について説明する。
【００６９】
図１４に図示した二点鎖線の矢印は、発光部１２０から照射された光の道筋を示している。なお、図１４（ｂ）において、固定リフレクタ１３０により反射された後の光の道筋の図示を省略している。
また、図１４において、説明の便宜上、回転リフレクタ１４０の図示を省略している。
【００７０】
３つの発光部１２０から照射された光は、当該３つの発光部１２０にそれぞれ対向して配置された（それぞれ対応する）３つの固定リフレクタ１３０に照射される。そして、３つの固定リフレクタ１３０に照射された光は、当該３つの固定リフレクタ１３０の固定リフレクタ反射面１３１により反射されて前方へ向けて照射される。このように、３つの発光部１２０から照射された光は、（他の遊技部品と干渉しなければ）ハウジング１１０の内部を内径方向に横断した後に、前方へ向けて反射される。なお、固定リフレクタ反射面１３１の傾斜角度を変更することによって、発光部１２０から照射された光の反射角度を変更することができる。
【００７１】
次に、図１５から図１７を用いて、発光装置２００による発光演出について詳細に説明する。
【００７２】
図１５から図１７に図示した二点鎖線の矢印は、発光部１２０から照射された光の道筋を示している。なお、図１５から図１７において、固定リフレクタ１３０及び回転リフレクタ１４０により反射された後の光の道筋の図示を省略している。
また、説明の便宜上、図１５から図１７においては、３つの発光部を発光部１２０ａ・１２０ｂ・１２０ｃとそれぞれ称する。また、３つの固定リフレクタを固定リフレクタ１３０ａ・１３０ｂ・１３０ｃと、３つの固定リフレクタ反射面を固定リフレクタ反射面１３１ａ・１３１ｂ・１３１ｃと、それぞれ称する。また、４つの羽根部を羽根部１４２ａ・１４２ｂ・１４２ｃ・１４２ｄと、４つの回転リフレクタ反射面を回転リフレクタ反射面１４４ａ・１４４ｂ・１４４ｃ・１４４ｄとそれぞれ称する。また、隣り合う回転リフレクタ反射面の隙間を隙間１５０ａ・１５０ｂ・１５０ｃ・１５０ｄとそれぞれ称する。
【００７３】
回転リフレクタ１４０が、図１５（ａ）に示す位置において、発光部１２０ａから照射された光の全部は、羽根部１４２ａの回転リフレクタ反射面１４４ａに照射される。そして、回転リフレクタ反射面１４４ａに照射された光は、当該回転リフレクタ反射面１４４ａにより反射されて前方へ向けて照射される。
また、発光部１２０ｂから照射された光の一部は、羽根部１４２ｂの回転リフレクタ反射面１４４ｂに照射される。そして、回転リフレクタ反射面１４４ｂに照射された光は、当該回転リフレクタ反射面１４４ｂにより反射されて前方へ向けて照射される。一方、発光部１２０ｂから照射された光の他部は、隙間１５０ｂを通って、羽根部１４２ｄの裏面側に照射される。羽根部１４２ｄの裏面側に照射された光は、前方へ向けて照射（反射）されない。
また、発光部１２０ｃから照射された光の一部は、羽根部１４２ｄの回転リフレクタ反射面１４４ｄに照射される。そして、回転リフレクタ反射面１４４ｄに照射された光は、当該回転リフレクタ反射面１４４ｄにより反射されて前方へ向けて照射される。一方、発光部１２０ｃから照射された光の他部は、隙間１５０ｃを通って、羽根部１４２ｂの裏面側に照射される。羽根部１４２ｂの裏面側に照射された光は、前方へ向けて照射（反射）されない。
【００７４】
回転リフレクタ１４０が、図１５（ａ）に示す位置から正面視時計回りに回転した図１５（ｂ）に示す位置において、発光部１２０ａから照射された光の一部は、羽根部１４２ａの回転リフレクタ反射面１４４ａに照射される。そして、回転リフレクタ反射面１４４ａに照射された光は、当該回転リフレクタ反射面１４４ａにより反射されて前方へ向けて照射される。一方、発光部１２０ａから照射された光の他部は、隙間１５０ｄを通って、羽根部１４２ｃの裏面側に照射される。羽根部１４２ｃの裏面側に照射された光は、前方へ向けて照射（反射）されない。
また、発光部１２０ｂから照射された光の全部は、羽根部１４２ｂの回転リフレクタ反射面１４４ｂに照射される。そして、回転リフレクタ反射面１４４ｂに照射された光は、当該回転リフレクタ反射面１４４ｂにより反射されて前方へ向けて照射される。
また、発光部１２０ｃから照射された光の全部は、隙間１５０ｃ及び隙間１５０ａを通って、固定リフレクタ１３０ａの固定リフレクタ反射面１３１ａに照射される。そして、固定リフレクタ反射面１３１ａに照射された光は、当該固定リフレクタ反射面１３１ａにより反射されて前方へ向けて照射される。
【００７５】
回転リフレクタ１４０が、図１５（ｂ）に示す位置から正面視で時計回りに回転した図１６（ａ）に示す位置において、発光部１２０ａから照射された光の全部は、隙間１５０ｄ及び隙間１５０ｂを通って、固定リフレクタ１３０ｂの固定リフレクタ反射面１３１ｂに照射される。そして、固定リフレクタ反射面１３１ｂに照射された光は、当該固定リフレクタ反射面１３１ｂにより反射されて前方へ向けて照射される。
また、発光部１２０ｂから照射された光の全部は、羽根部１４２ｂの回転リフレクタ反射面１４４ｂに照射される。そして、回転リフレクタ反射面１４４ｂに照射された光は、当該回転リフレクタ反射面１４４ｂにより反射されて前方へ向けて照射される。
また、発光部１２０ｃから照射された光の全部は、羽根部１４２ｃの回転リフレクタ反射面１４４ｃに照射される。そして、回転リフレクタ反射面１４４ｃに照射された光は、当該回転リフレクタ反射面１４４ｃにより反射されて前方へ向けて照射される。
【００７６】
回転リフレクタ１４０が、図１６（ａ）に示す位置から正面視で時計回りに回転した図１６（ｂ）に示す位置において、発光部１２０ａから照射された光の一部は、羽根部１４２ｄの回転リフレクタ反射面１４４ｄに照射される。そして、回転リフレクタ反射面１４４ｄに照射された光は、当該回転リフレクタ反射面１４４ｄにより反射されて前方へ向けて照射される。一方、発光部１２０ａから照射された光の他部は、隙間１５０ｄを通って、羽根部１４２ｂの裏面側に照射される。羽根部１４２ｂの裏面側に照射された光は、前方へ向けて照射（反射）されない。
また、発光部１２０ｂから照射された光の全部は、隙間１５０ａ及び隙間１５０ｃを通って、固定リフレクタ１３０ｃの固定リフレクタ反射面１３１ｃに照射される。そして、固定リフレクタ反射面１３１ｃに照射された光は、当該固定リフレクタ反射面１３１ｃにより反射されて前方へ向けて照射される。
また、発光部１２０ｃから照射された光の全部は、羽根部１４２ｃの回転リフレクタ反射面１４４ｃに照射される。そして、回転リフレクタ反射面１４４ｃに照射された光は、当該回転リフレクタ反射面１４４ｃにより反射されて前方へ向けて照射される。
【００７７】
回転リフレクタ１４０が、図１６（ｂ）に示す位置から正面視で時計回りに回転した図１７に示す位置において、発光部１２０ａから照射された光の全部は、羽根部１４２ｄの回転リフレクタ反射面１４４ｄに照射される。そして、回転リフレクタ反射面１４４ｄに照射された光は、当該回転リフレクタ反射面１４４ｄにより反射されて前方へ向けて照射される。
また、発光部１２０ｂから照射された光の一部は、羽根部１４２ａの回転リフレクタ反射面１４４ａに照射される。そして、回転リフレクタ反射面１４４ａに照射された光は、当該回転リフレクタ反射面１４４ａにより反射されて前方へ向けて照射される。一方、発光部１２０ｂから照射された光の他部は、隙間１５０ａを通って、羽根部１４２ｃの裏面側に照射される。羽根部１４２ｃの裏面側に照射された光は、前方へ向けて照射（反射）されない。
また、発光部１２０ｃから照射された光の一部は、羽根部１４２ｃの回転リフレクタ反射面１４４ｃに照射される。そして、回転リフレクタ反射面１４４ｃに照射された光は、当該回転リフレクタ反射面１４４ｃにより反射されて前方へ向けて照射される。一方、発光部１２０ｃから照射された光の他部は、隙間１５０ｂを通って、羽根部１４２ａの裏面側に照射される。羽根部１４２ａの裏面側に照射された光は、前方へ向けて照射（反射）されない。
【００７８】
このように、発光装置２００は、回転リフレクタ１４０が正面視時計回りに４５度回転した状態で、発光部１２０ａ・１２０ｂ・１２０ｃから照射された光の道筋が、当該回転リフレクタ１４０が回転する前の状態と同一となる。
【００７９】
以上のように、発光装置２００による発光演出は、従来にない見え方とすることができる。より詳細には、発光部１２０ａ・１２０ｂ・１２０ｃから照射されて回転リフレクタ反射面１４４ａ・１４４ｂ・１４４ｃ・１４４ｄにより反射された光は、当該回転リフレクタ反射面１４４ａ・１４４ｂ・１４４ｃ・１４４ｄが斜め前方であって外側へ向けた状態の凹面であることから、前方の比較的広範囲に亘って拡散される。また、上述の如く、回転リフレクタ１４０の回転に応じて、発光部１２０ａ・１２０ｂ・１２０ｃから回転リフレクタ反射面１４４ａ・１４４ｂ・１４４ｃ・１４４ｄに照射される光量が連続して変化することとなる。つまり、回転リフレクタ反射面１４４ａ・１４４ｂ・１４４ｃ・１４４ｄにより反射される光量が連続して変化することとなる。また、発光部１２０ａ・１２０ｂ・１２０ｃから照射されて回転リフレクタ１４０に照射されなかった光は、固定リフレクタ１３０ａ・１３０ｂ・１３０ｃを照射して、固定リフレクタ反射面１３１ａ・１３１ｂ・１３１ｃにより反射されて前方へ向けて照射される。このように、発光装置２００の発光演出は、ダイナミックな発光態様を実現することができる。
【００８０】
以上のように、本発明に係る「遊技機用発光装置」の第一実施形態である発光装置１００は、
円筒状に形成されたハウジング１１０と、
前記ハウジング１１０の内周面に配設されて内径方向へ向けて光を照射する発光部１２０（光源）と、
前記発光部１２０（光源）から照射された光を反射させる複数の回転リフレクタ反射面１４４（反射面）が前記ハウジング１１０内において当該ハウジング１１０の筒心Ｐを中心とする周方向に並設されると共に当該ハウジング１１０の筒心回りに回転可能に構成される回転リフレクタ１４０と、を具備するものである。
【００８１】
このような構成によって、発光装置１００は、従来にない見え方の発光演出を行うことができる。
また、発光装置１００は、前後方向の長さを短くすることができ、且つ光を反射させて煌びやかに見せることができる。
【００８２】
また、本発明に係る「遊技機用発光装置」の第二実施形態である発光装置２００は、
前記ハウジング１１０の内周面であって前記発光部１２０（光源）と対向する位置に配設されて、当該発光部１２０（光源）から照射された光を反射させる固定リフレクタ反射面１３１（反射面）を有する固定リフレクタ１３０を具備し、
前記回転リフレクタ１４０には、前記複数の回転リフレクタ反射面１４４（反射面）が相互に離間して隙間１５０が形成され、
前記発光部１２０（光源）から照射された光は、前記回転リフレクタ１４０を照射すると共に当該回転リフレクタ１４０に形成された前記隙間１５０を通じて前記固定リフレクタ１３０を照射する、ものである。
【００８３】
このような構成によって、発光装置２００は、従来にない見え方の発光演出を行うことができる。
【００８４】
なお、固定リフレクタ１３０は、本発明に係る「リフレクタ」の一実施形態であり、上述の如き構成に限定するものではない。また、固定リフレクタ反射面１３１は、本発明に係る「反射面」の一実施形態であり、上述の如き構成に限定するものではない。
例えば、本発明に係る「リフレクタ」は、本実施形態では３つ設けられているが、特に３つの限定するものではなく、本発明に係る「発光部」と同じ個数であればよい。また、本発明に係る「反射面」は、平面ではなく、凸状又は凹状に湾曲した湾曲面であってもよい。
【符号の説明】
【００８５】
１００：発光装置，１１０：ハウジング，１２０：発光部，１３０：固定リフレクタ，１３１：固定リフレクタ反射面，１４０：回転リフレクタ，１４４：回転リフレクタ反射面，隙間１５０
【図１】
0005724812.tif 000002
【図２】
0005724812.tif 000003
【図３】
0005724812.tif 000004
【図４】
0005724812.tif 000005
【図５】
0005724812.tif 000006
【図６】
0005724812.tif 000007
【図７】
0005724812.tif 000008
【図８】
0005724812.tif 000009
【図９】
0005724812.tif 000010
【図１０】
0005724812.tif 000011
【図１１】
0005724812.tif 000012
【図１２】
0005724812.tif 000013
【図１３】
0005724812.tif 000014
【図１４】
0005724812.tif 000015
【図１５】
0005724812.tif 000016
【図１６】
0005724812.tif 000017
【図１７】
0005724812.tif 000018